(57)【要約】以下を含む葬儀車を提供する。柩運搬箱と、空気冷却用ダクトと、柩台座と、前記柩台座が前記レールに沿って移動して前記柩運搬箱に出入りすることを可能にするシリンダーと、前記柩台座が自動的に前記柩運搬箱に出入りすることを可能にする位置確認センサーと、前記柩運搬箱から摺動自在に移動する摺動台。よって、前記柩内の遺体を急冷して該遺体の腐敗を防止することでその腐敗に起因する不快な臭気を回避して会葬者や遺族の不快感を軽減するまた、前記柩を前記柩運搬箱に自動的に積み降ろしできるので、それによって前記柩の損傷を防止することができる。加えて、前記柩を前記柩運搬箱に縦方向に納めることができるので、狭小スペースでも前記柩を容易に運ぶことができる。【選択図】図１Ｂ
2009517169.tif 000002
【特許請求の範囲】
【請求項１】
前記葬儀車内で柩を受け入れる柩運搬箱と、前記柩運搬箱の冷却状態を維持するため、前記葬儀車に搭載された冷却用空気発生器によって生成された冷却用空気を前記柩運搬箱に搬送するためのダクトと、前記柩運搬箱の内部床面に形成されたレールに沿って柩台座に出入りする前記柩運搬箱と、を含む葬儀車において、前記柩台座が前記レールに沿って移動して前記柩運搬箱に出入りすることを可能にするシリンダーと、前記柩台座に位置決めされて、前記柩台座が自動的に前記柩運搬箱に出入りすることを可能にする位置確認センサーと、さらに、前記柩運搬箱の前方下部分に形成され、前記柩運搬箱から摺動自在に移動する摺動台と、をさらに含むことを特徴とする葬儀車。
【請求項２】
装飾花が前記柩運搬箱の外側に飾られ、カーテンが前記葬儀車内に設けられたそれぞれの窓で自動的に開閉されることを特徴とする請求項１に係る葬儀車。
【請求項３】
カーテンが前記葬儀車内に設けられたそれぞれの窓で自動的に開閉されることを特徴とする請求項１に係る葬儀車。
【発明の詳細な説明】
【技術分野】
【０００１】
本発明は、霊柩車又は葬儀車に関するものであり、特に、前記葬儀車内に設けられ、柩の自動的な積み降ろしを可能にすることによって前記柩の損傷を防止する柩運搬箱と、前記柩内の遺体を急冷して該遺体の腐敗を防止することでその腐敗に起因する不快な臭気を回避して会葬者や遺族の不快感を軽減させるための冷却ダクトと、を含む葬儀車において、前記柩を前記柩運搬箱に縦方向に納めることができるので、前記柩を狭小スペースでも容易に運べることを特徴とする葬儀車に関するものである。
【背景技術】
【０００２】
従来の霊柩車又は葬儀車には、前記葬儀車後部分の床面に取り付けられた柩運搬箱が含まれ、柩運搬箱のドアが開閉可能になっており、柩運搬箱の左右両側に縦方向に設けられている固定レールが柩運搬箱の内部底面に残される。移動側レールは前記固定レールに摺動自在に設置される。柩台座が前記移動側レールに取り付けられるので、前記柩台座は、前記移動側レールとともに摺動自在に移動できるようになっている。ストッパーが前記柩台座の先端に上向きに取り付けられ、柩運搬箱の下面に取り付けられた係止具が前記柩台座を係止するために前記柩台座の後端に設けられる。
【０００３】
前記柩運搬箱は、前記葬儀車の中央部分において縦方向に前記葬儀車内に固定設置される。よって、柩が前記葬儀車内に積まれる際には、前記柩運搬箱の後ドアは開かれ、前記柩運搬箱の内部床面に設置されている前記移動側レールと前記柩台座との両方は手で引かれて前記葬儀車から取り出される。次いで、遺体の入った柩が前記柩台座に据えられる。次いで、前記柩は、前記柩台座に密着するように、前記柩台座の先端に形成されたストッパーに当たるまでスライドされてからストラップを用いて前記柩台座にしっかりと縛りつけられる。
【０００４】
次いで、前記柩が据えられた前記柩台座と前記移動側レールとは、前記柩運搬箱に前記柩台座と前記移動側レールとが前記レールの先端に到達するまで押し入れられる。次いで、前記柩台座は、前記柩運搬箱の内部床面に取り付けられた係止具を用いて動かないように固定され、それよって、前記葬儀車が前記柩を埋葬地に運ぶことを可能にする。前記柩が前記柩運搬箱から埋葬地に降ろされる際には、前記柩の降ろし作業は上記の順序と逆の順序で行われる。しかしながら、前記レールが従来式葬儀車の柩運搬箱に縦方向に設置されるので、前記レールを前記葬儀車の後部分まで引いて前記柩運搬箱から取り出し、次いで前記柩を方向転換させる場合、前記柩の負荷が前記レールの内部部分に集中し、そのため、前記レールは円滑に作動しない可能性もある。
【０００５】
また、前記柩が前記柩台座の底部に固定された前記レール上に据えられてから、前記柩台座を前記レールの前方先端部まで押す必要がある。前記柩台座が前記レールの前方先端部まで激しく押される場合には、前者が後者に衝突し、次いでその衝撃が前記柩の内部部分に影響を及ぼす可能性もあり、前記柩内の遺体の位置ずれを生じる原因となる。
【発明の開示】
【発明が解決しようとする課題】
【０００６】
上記問題点を解決するため、前記葬儀車内に設けられ、柩の自動的な積み降ろしを可能にすることによって前記柩の損傷を防止する柩運搬箱と、前記柩内の遺体を急冷して（例えば２〜３分間以内）該遺体の腐敗を防止することでその腐敗に起因する不快な臭気を回避して会葬者や遺族の不快感を軽減させるための冷却ダクトと、を含む葬儀車において、前記柩を前記柩運搬箱に縦方向に納めることができるので、前記柩を狭小スペースでも容易に運べることを特徴とする葬儀車を提供することが本発明の目的である。
【課題を解決するための手段】
【０００７】
上記本発明の目的を達成するため、本発明の態様によれば、以下が含まれることを特徴とする葬儀車が提供される。前記葬儀車（１００）内で柩を受け入れる柩運搬箱（１０）と、前記柩運搬箱（１０）の冷却状態を維持するため、前記葬儀車（１００）に搭載された冷却用空気発生器（１３０）によって生成された冷却用空気を前記柩運搬箱（１０）に搬送するためのダクト（２０）と、前記柩運搬箱（１０）の内部床面に形成されたレール（１４）に沿って前記柩運搬箱（１０）に出入りする柩台座（１１）と、前記柩台座（１１）が前記レール（１４）に沿って移動して前記柩運搬箱（１０）に出入りすることを可能にするシリンダーと、前記柩台座（１１）に位置決めされて、前記柩台座（１１）が自動的に前記柩運搬箱（１０）に出入りすることを可能にする位置確認センサー（１２）と、さらに、前記柩運搬箱（１０）の前方下部分に形成され、前記柩運搬箱（１０）から摺動自在に移動する摺動台（５０）。
【０００８】
ここで、好ましくは、装飾花（１４０）が前記柩運搬箱（１０）の外側に飾られる。
【０００９】
また、好ましくは、前記葬儀車（１１０）に設けられたそれぞれの窓カーテン（１１０）が自動的に開閉される。
【発明を実施するための最良の形態】
【００１０】
以下、本発明の好ましい実施形態に係る葬儀車を添付図面を参照して説明する。図１Ａ及び１Ｂはそれぞれ、本発明に係る霊柩車又は葬儀車を図示する斜視図である。図１Ａでは、前記葬儀車１００の後ドアが開かれ、柩運搬箱１０の前ドアが閉じられている状態であり、さらに、摺動台５０が前記柩運搬箱１０から展開されていない。図１Ｂでは、前記葬儀車１００の後ドアが開かれ、柩運搬箱１０の前ドアも開かれている状態であり、さらに、摺動台５０は前記柩運搬箱１０から展開されている。図２Ａは、図１Ａの葬儀車の後側から見た前記柩運搬箱の正面図であり、図２Ｂは、図１Ｂの葬儀車の後側から見た前記柩運搬箱の正面図である。
【００１１】
図１Ａ、図１Ｂ、図２Ａ及び図２Ｂに示すように、本発明の実施形態に係る葬儀車１００には、前記葬儀車１００内で柩を受け入れる柩運搬箱１０が含まれる。装飾花１４０が前記柩運搬箱１０の外側に飾られる。前記柩運搬箱１０の前部分に形成された前ドア１３は、柩を前記柩運搬箱１０に積み降ろしするために開閉される。ここで、前記前ドアは折戸である。
【００１２】
カーテン１１０は前記葬儀車１００内に設けられた窓に設置される。図５Ａ及び５Ｂ図はそれぞれ、本発明に係る葬儀車のカーテン駆動部を説明するための部分的な側断面図である。図５Ａでは、前記窓カーテン１１０が閉じられている状態であるが、図５Ｂでは、前記窓カーテン１１０は閉じられていない状態である。ここで、装飾花１４０が前記柩運搬箱１０の外側に飾られる。図５Ａ及び図５Ｂに示すように、前記カーテン１１０は電動モーターによって自動的に駆動される。夜間などの暗闇状態において前記葬儀車を照明し、厳粛な環境を作り出すために、照明装置１２０が窓の近くに設置される。
【００１３】
図３は、本発明に係る葬儀車を図示する部分的な側断面図である。
【００１４】
図３に示すように、前記葬儀車１００には、前記柩運搬箱１０の冷却状態を維持するため、前記葬儀車１００に搭載された冷却用空気発生器１３０によって生成された冷却用空気を前記柩運搬箱１０に搬送するためのダクト２０が含まれる。よって、前記ダクト２０は前記冷却用空気発生器１３０から前記柩運搬箱１０に接続される。複数の空気排出孔（図示せず）が前記柩運搬箱１０に形成されるので、前記冷却用空気を前記柩運搬箱１０中に排出できるようになっている。
【００１５】
図４Ａは、本発明に係る図１Ａの葬儀車の重要な部分を図示する部分的な側断面図であり、図４Ｂは、本発明に係る図１Ｂの葬儀車の重要な部分を図示する部分的な側断面図である。
【００１６】
図４Ａ及び図４Ｂに示すように、柩台座１１は、前記柩運搬箱１０の内部床面に形成されたレール１４に沿って前記柩運搬箱（１０）に出入りする。つまり、Ｃ字型形状のレール１４はそれぞれ前記柩台座１１の底部に、前記柩台座１１の左右両側に形成されるので、前記柩台座１１は前記Ｃ字型形状のレール１４上でスライドできるようになっている。ローラー１５は前記Ｃ字型形状のレール１４に設置されて、前記Ｃ字型形状のレール１４と前記柩台座１１との間のより円滑な摺動動作を行う。ここで、油圧シリンダー（図示せず）は、前記柩台座１１が前記レール１４に沿って移動して前記柩運搬箱１０に出入りすることを可能にする。加えて、ラック３０とピニオン４０とが前記レール１４の底部に使用されるので、前記柩台座１１は前記柩運搬箱１０に出入りできるようになっている。さらに、位置確認センサー１２は、前記柩台座１１に位置決めされて、前記柩台座１１がその位置で自動的に前記柩運搬箱１０に出入りすることを可能にする。
【００１７】
図６Ａ〜図６Ｄはそれぞれ、本発明に係る葬儀車１００の後部分における摺動台１１の動作を図示する斜視図である。
【００１８】
図６Ａ〜図６Ｄに示すように、摺動台５０は、前記柩運搬箱１０の前方下部分に形成され、前記柩運搬箱１０から摺動自在に移動する。よって、遺影写真、ロウソク、香炉などを前記摺動台５０に載置することができる。
【００１９】
上記のように、本発明は、前記葬儀車内に設けられ、柩の自動的な積み降ろしを可能にすることによって前記柩の損傷を防止する柩運搬箱と、前記柩内の遺体を急冷して（例えば２〜３分間以内）該遺体の腐敗を防止することでその腐敗に起因する不快な臭気を回避して会葬者や遺族の不快感を軽減させるための冷却ダクトと、を含む葬儀車において、前記柩を前記柩運搬箱に縦方向に納めることができるので、前記柩を狭小スペースでも容易に運べることを特徴とする葬儀車を提供する。
【００２０】
上記のように、本発明を特に好適な実施形態に関して説明したが、本発明は上記実施形態に限定されるものではなく、当業者であれば、本発明の真の趣旨から逸脱することなしに、種々の変更や変形が可能である。よって、本発明の保護範囲は、その詳細説明によって限定されるものではなく、以降に記載する特許請求の範囲及び本発明の技術の趣旨によって規定されるものである。
【産業上の利用可能性】
【００２１】
上記のように、本発明は、柩の前記柩運搬箱への自動的な積み降ろしを可能にする柩運搬箱を含む葬儀車を提供する。
【図面の簡単な説明】
【００２２】
【図１Ａ】図１Ａは、本発明に係る霊柩車又は葬儀車を図示する斜視図であって、前記葬儀車の後ドアが開かれ、柩運搬箱の前ドアが閉じられている状態であり、さらに摺動台が前記柩運搬箱から展開されていない状態を示す斜視図である。
【図１Ｂ】図１Ｂは、本発明に係る霊柩車又は葬儀車を図示する斜視図であって、前記葬儀車の後ドアが開かれ、柩運搬箱の前ドアも開かれ、さらに摺動台が前記柩運搬箱から展開されている状態を示す斜視図である。
【図２Ａ】図２Ａは、図１Ａの葬儀車の後側から見た前記柩運搬箱の正面図である。
【図２Ｂ】図２Ｂは、図１Ｂの葬儀車の後側から見た前記柩運搬箱の正面図である。
【図３】図３は、本発明に係る葬儀車を図示する部分的な側断面図である。
【図４Ａ】図４Ａは、本発明に係る図１Ａの葬儀車の重要な部分を図示する部分的な側断面図である。
【図４Ｂ】図４Ｂは、本発明に係る図１Ｂの葬儀車の重要な部分を図示する部分的な側断面図である。
【図５Ａ】図５Ａは、本発明に係る葬儀車のカーテン駆動部を説明するための部分的な側断面図であって、前記窓カーテンが閉じられている状態を示す側断面図である。
【図５Ｂ】図５Ｂは、本発明に係る葬儀車のカーテン駆動部を説明するための部分的な側断面図であって、前記窓カーテンが開かれている状態を示す側断面図である。
【図６Ａ】図６Ａは、本発明に係る葬儀車の後部分における摺動台の動作を図示する斜視図である。
【図６Ｂ】図６Ｂは、本発明に係る葬儀車の後部分における摺動台の動作を図示する斜視図である。
【図６Ｃ】図６Ｃは、本発明に係る葬儀車の後部分における摺動台の動作を図示する斜視図である。
【図６Ｄ】図６Ｄは、本発明に係る葬儀車の後部分における摺動台の動作を図示する斜視図である。
【図１Ａ】
2009517169.tif 000003
【図１Ｂ】
2009517169.tif 000004
【図２Ａ】
2009517169.tif 000005
【図２Ｂ】
2009517169.tif 000006
【図３】
2009517169.tif 000007
【図４Ａ】
2009517169.tif 000008
【図４Ｂ】
2009517169.tif 000009
【図５Ａ】
2009517169.tif 000010
【図５Ｂ】
2009517169.tif 000011
【図６Ａ】
2009517169.tif 000012
【図６Ｂ】
2009517169.tif 000013
【図６Ｃ】
2009517169.tif 000014
【図６Ｄ】
2009517169.tif 000015
【国際調査報告】
2009517169.tif 000016
2009517169.tif 000017